(57)【要約】【課題】  放送事業者に要望することなく、コンテンツに付加されているメタデータを利用することで、コンテンツの様々な視聴を行うことができるメタデータテンプレート生成送信装置およびそのプログラム、ならびに、オリジナルメタデータ制作装置およびそのプログラムを提供する。【解決手段】  メタデータテンプレート生成送信装置１は、コンテンツを視聴した視聴者が当該コンテンツに付加されているメタデータである付加メタデータを用いて、視聴者が制作するメタデータであるオリジナルメタデータを制作するためのメタデータテンプレートを生成して、コンテンツと共に送出するものであって、コンテンツ記憶手段３と、コンテンツ符号化手段５と、付加メタデータ・メタデータテンプレート生成手段７と、暗号鍵生成手段９と、スクランブル手段１１と、暗号鍵関連情報生成手段１３と、多重化送出手段１７と、を備えた。【選択図】      図１
2006033182.tif 000002
【特許請求の範囲】
【請求項１】
コンテンツを視聴した視聴者が当該コンテンツに付加されているメタデータである付加メタデータを用いて、前記視聴者が制作するメタデータであるオリジナルメタデータを制作するためのメタデータテンプレートを生成して、前記コンテンツと共に送出するメタデータテンプレート生成送信装置であって、
前記コンテンツを記憶しているコンテンツ記憶手段と、
このコンテンツ記憶手段に記憶されているコンテンツを符号化し、符号化コンテンツとするコンテンツ符号化手段と、
前記コンテンツに関する参照情報を記憶している記憶手段と、
この記憶手段に記憶されている参照情報に基づいて、前記付加メタデータおよび前記メタデータテンプレートを生成する付加メタデータ・メタデータテンプレート生成手段と、
前記コンテンツ符号化手段で符号化された符号化コンテンツと、前記付加メタデータ・メタデータテンプレート生成手段で生成された付加メタデータおよびメタデータテンプレートとを暗号化するための暗号鍵を生成する暗号鍵生成手段と、
この暗号鍵生成手段で生成された暗号鍵を使用して、前記符号化コンテンツと前記付加メタデータと前記メタデータテンプレートとを暗号化し、暗号化コンテンツとするスクランブル手段と、
前記暗号鍵生成手段で生成された暗号鍵と、この暗号鍵および前記コンテンツを対応付けた関連情報とを予め保持される保持鍵で暗号化し、暗号鍵関連情報とする暗号鍵関連情報生成手段と、
前記スクランブル手段で暗号化された暗号化コンテンツと、前記暗号鍵関連情報生成手段で生成された暗号鍵関連情報とを多重化し、多重暗号化コンテンツとして送出する多重化送出手段と、
を備えることを特徴とするメタデータテンプレート生成送信装置。
【請求項２】
前記多重暗号化コンテンツを受信した受信側の視聴者から送信された前記オリジナルメタデータおよび前記視聴者を識別する識別情報を、ネットワークを介して受信すると共に、前記識別情報に基づいて、前記オリジナルメタデータを送信してきた送信元の視聴者が予め設定されているメタデータ制作者であるか否かを判定するオリジナルメタデータ送信元判定手段と、
このオリジナルメタデータ送信元判定手段で判定された判定結果に基づき、前記視聴者が前記メタデータ制作者であると判定された場合には、予め設定した評価基準に基づいて設定したメタデータ評価点を、前記識別情報に従って前記メタデータ制作者毎に加算するメタデータ評価点加算手段と、
このメタデータ評価点加算手段で加算されたメタデータ評価点と予め設定した閾値とを比較するメタデータ評価点比較手段とを備え、
前記付加メタデータ・メタデータテンプレート生成手段は、前記メタデータ評価点比較手段で前記メタデータ評価点が前記閾値以上となった前記メタデータ制作者の制作したオリジナルメタデータを参照して、前記メタデータテンプレートを生成することを特徴とする請求項１に記載のメタデータテンプレート生成送信装置。
【請求項３】
コンテンツを視聴した視聴者が当該コンテンツに付加されているメタデータである付加メタデータを用いて、前記視聴者が制作するメタデータであるオリジナルメタデータを制作するためのメタデータテンプレートを生成して、前記コンテンツと共に送出するために、前記コンテンツおよび前記コンテンツに関する参照情報を記憶している記憶手段を有しているコンピュータを、
前記記憶手段に記憶されているコンテンツを符号化し、符号化コンテンツとするコンテンツ符号化手段、
前記記憶手段に記憶されている前記コンテンツに関する参照情報に基づいて、前記付加メタデータおよび前記メタデータテンプレートを、生成する付加メタデータ・メタデータテンプレート生成手段、
前記コンテンツ符号化手段で符号化された符号化コンテンツと、前記付加メタデータ・メタデータテンプレート生成手段で生成された付加メタデータおよびメタデータテンプレートとを暗号化するための暗号鍵を生成する暗号鍵生成手段、
この暗号鍵生成手段で生成された暗号鍵を使用して、前記符号化コンテンツと前記付加メタデータと前記メタデータテンプレートとを暗号化し、暗号化コンテンツとするスクランブル手段、
前記暗号鍵生成手段で生成された暗号鍵と、この暗号鍵および前記コンテンツを対応付けた関連情報とを予め保持されている保持鍵で暗号化し、暗号鍵関連情報とする暗号鍵関連情報生成手段、
前記スクランブル手段で暗号化された暗号化コンテンツと、前記暗号鍵関連情報生成手段で生成された暗号鍵関連情報とを多重化し、多重暗号化コンテンツとして送出する多重化送出手段、
として機能させることを特徴とするメタデータテンプレート生成送信プログラム。
【請求項４】
コンテンツに付加されたメタデータである付加メタデータを用いて、前記コンテンツの視聴者が制作するメタデータであるオリジナルメタデータを作成するためのメタデータテンプレートと、前記付加メタデータ、前記メタデータテンプレートおよび前記コンテンツが符号化された符号化コンテンツを暗号鍵で暗号化した暗号化コンテンツと、前記暗号鍵および前記コンテンツを対応付けた関連情報と前記暗号鍵とが予め送信側で保持されている保持鍵で暗号化された暗号鍵関連情報とを多重化した多重暗号化コンテンツを受信して、前記オリジナルメタデータを制作するオリジナルメタデータ制作装置であって、
前記多重暗号化コンテンツを受信し、前記暗号化コンテンツと前記暗号鍵関連情報とに分離する受信分離手段と、
この受信分離手段で分離された暗号化コンテンツを記憶する暗号化コンテンツ記憶手段と、
前記受信分離手段で分離された暗号鍵関連情報を、前記保持鍵と対応している鍵で復号し、前記暗号鍵を出力する暗号鍵関連情報復号手段と、
この暗号鍵関連情報復号手段で出力された暗号鍵を記憶する暗号鍵記憶手段と、
この暗号鍵記憶手段に記憶されている暗号鍵を使用して、前記暗号化コンテンツを復号し、前記付加メタデータ、前記メタデータテンプレートおよび前記符号化コンテンツとするデスクランブル手段と、
このデスクランブル手段で復号された符号化コンテンツを復号化する復号化手段と、
前記デスクランブル手段で復号されたメタデータテンプレートと、前記付加メタデータとを提示する提示手段と、
この提示手段で提示されたメタデータテンプレートを用いて、提示された付加メタデータを編集して、前記オリジナルメタデータを制作するオリジナルメタデータ制作手段と、
を備えることを特徴とするオリジナルメタデータ制作装置。
【請求項５】
前記多重暗号化コンテンツを送信してきた送信側に、前記オリジナルメタデータ制作手段で制作されたオリジナルメタデータを返信するオリジナルメタデータ返信手段を備えたことを特徴とする請求項４に記載のオリジナルメタデータ制作装置。
【請求項６】
コンテンツに付加されたメタデータである付加メタデータを用いて、前記コンテンツの視聴者が制作するメタデータであるオリジナルメタデータを作成するためのメタデータテンプレートと、前記付加メタデータ、前記メタデータテンプレートおよび前記コンテンツが符号化された符号化コンテンツを暗号鍵で暗号化した暗号化コンテンツと、前記暗号鍵および前記コンテンツを対応付けた関連情報と前記暗号鍵とが予め送信側で保持されている保持鍵で暗号化された暗号鍵関連情報とを多重化した多重暗号化コンテンツを受信して、前記オリジナルメタデータを制作するために、暗号化コンテンツを記憶する暗号化コンテンツ記憶手段および前記暗号鍵を記憶する暗号鍵記憶手段を有しているコンピュータを、
前記多重暗号化コンテンツを受信し、前記暗号化コンテンツと前記暗号鍵関連情報とに分離する受信分離手段、
この受信分離手段で分離された暗号鍵関連情報を、前記保持鍵に対応している鍵で復号し、前記暗号鍵を出力する暗号鍵関連情報復号手段、
前記暗号鍵記憶手段に記憶されている暗号鍵を使用して、前記暗号化コンテンツを復号し、前記付加メタデータ、前記メタデータテンプレートおよび前記符号化コンテンツとするデスクランブル手段、
このデスクランブル手段で復号された符号化コンテンツを復号化する復号化手段、
前記デスクランブル手段で復号されたメタデータテンプレートと、前記付加メタデータとを提示させる提示手段、
この提示手段で提示されたメタデータテンプレートを用いて、提示された付加メタデータを編集して、前記オリジナルメタデータを制作するオリジナルメタデータ制作手段、
として機能させることを特徴とするオリジナルメタデータ制作プログラム。
【発明の詳細な説明】
【技術分野】
【０００１】
本発明は、コンテンツを視聴した視聴者が、当該コンテンツに付加されている付加メタデータを利用して、独自のメタデータであるオリジナルメタデータを制作するメタデータテンプレート生成送信装置およびメタデータテンプレート生成送信プログラム、ならびに、オリジナルメタデータ制作装置およびオリジナルメタデータ制作プログラムに関する。
【背景技術】
【０００２】
従来、コンテンツの各シーン（フレーム）の時刻に対応して付加されている、当該シーンを簡潔に説明したメタデータは、コンテンツを放送波により放送する若しくはネットワークを介して送信すると共に、当該コンテンツを蓄積しているコンテンツホルダとしての役割を担っている放送事業者（通信事業者）や、この放送事業者が依頼したメタデータ制作者のみによって制作（作成）されている。
【０００３】
そして、制作（作成）されたメタデータは放送波により、コンテンツを視聴する視聴者の視聴端末（受信装置）に、コンテンツと共に送信（配布）されており、この送信されたメタデータが当該視聴者により利用されている。しかし、視聴者は、メタデータを利用するのみであり、視聴者自身が新たなメタデータを作成したり、作成したメタデータを放送事業者で採用してもらう環境が整っていない。つまり、メタデータは放送事業者から視聴者へ一方向に流れるのみである。
【０００４】
ここで、図９を参照して、メタデータの流れの例（従来のメタデータフロー例）を説明する。図９は、放送事業者、メタデータ制作者および視聴者の３者間におけるメタデータの流れを説明した図である。この図９に示すように、放送事業者に保持されているメタデータＡ、メタデータＢおよびメタデータＣが放送され、視聴者側で受信されている（図９では、メタデータＡのみ図示）。そうすると、視聴者から、メタデータＡを変更したい、こうしたメタデータがほしいといった要望（変更、新規）が放送事業者にネットワーク等を介して送信される。
【０００５】
そうすると、放送事業者は、視聴者からの要望に従って、メタデータＡをメタデータ制作者に配布して当該メタデータＡの変更を当該メタデータ制作者に依頼する。また、メタデータＡの変更とあわせて、放送事業者自身からの新たな要望により、メタデータＣをメタデータ制作者に配布して当該メタデータＣの変更と、新たなメタデータＥの新規作成とを当該メタデータ制作者に依頼する場合もある。そして、メタデータ制作者は、放送事業者から配布されたメタデータＡおよびメタデータＣそれぞれを変更作成したメタデータＡ′およびメタデータＣ′と、視聴者からの要望に従って新規作成したメタデータＥとを放送事業者にネットワーク等を介して納入している。
【０００６】
すなわち、視聴者からは、放送されたメタデータへの要望（一部変更、新規作成要求）が送信されるだけで、メタデータは、メタデータ制作者を経由することがあっても、基本的には、放送事業者から視聴者へ一方向に流れていくだけである。
【０００７】
ところで、近年、記憶媒体の大容量化に伴い、放送された数日分のコンテンツを記憶媒体に蓄積させて視聴者が視聴する形態であるサーバ型放送が実現されつつあり、このサーバ型放送では、コンテンツに付加されているメタデータを利用することで、当該コンテンツを編集・再構成して視聴するなど、記憶媒体に蓄積させたコンテンツの蓄積利用を積極的に行うことが可能である（例えば、特許文献１参照）。
【０００８】
【特許文献１】特開２００３−１１１０３５号公報（段落００１２、図１）
【発明の開示】
【発明が解決しようとする課題】
【０００９】
しかしながら、サーバ型放送であっても、従来のように、放送事業者だけがメタデータを配布する環境にあると、放送事業者だけの限られた一部の人々の意見しかメタデータに反映されず、コンテンツを受信する多くの人々に対して、このサーバ型放送のメリットである、コンテンツの様々な視聴を行うことを十分に活用できない恐れが生じる。
【００１０】
また、従来では、コンテンツの視聴者は、コンテンツに付加されているメタデータを、与えられたようにしか用いることができず、当該メタデータを用いたコンテンツの編集・再構築を視聴者が所望するように行いたい場合、放送事業者に要望するしかなく、即座に所望するように（思い通りに）コンテンツの編集・再構築を行うことができず、視聴者にとって利便性に欠けるという問題がある。
【００１１】
また、放送事業者が依頼したメタデータ制作者等、メタデータの制作（作成）を行える者であっても、当然のことながら放送事業者からの依頼がなければ、メタデータの制作は行われない。たとえ、メタデータを制作することができても、通常、コンテンツと共にメタデータを放送しているので、制作したメタデータを、ネットワークを介して送信しても視聴者の視聴端末（受信装置）で活用できるように構成されておらず、メタデータを配布・流通する手段が無いという問題がある。ちなみに、優秀なメタデータ制作者が個人的にメタデータを制作しても、同様に、配布・流通する手段が無いという問題がある。
【００１２】
一方、放送事業者側では、コンテンツに付加するメタデータを制作するために、人手を介して行っており、メタデータの制作費は高コストになる。この結果、コンテンツの内容を詳細に表したボリュームのある（データ量の多い）メタデータを、多くの人手をかけて制作することは制作費の側面からも困難であるという問題がある。
【００１３】
さらにまた、サーバ型放送が一般化し、メタデータを使用したコンテンツの視聴が盛んにすると、様々なメタデータ（素人（初心者）が作成したものから玄人（プロ）が作成したものまで）が流通することが予測され、視聴者は、メタデータを制作するメタデータ制作者が優秀であるかどうかわからないし、制作されたメタデータ自体が優れているかどうかわからないので、優秀なメタデータが一目でわかるようなメタデータの流通システムが望まれている。
【００１４】
そこで、本発明では、前記した問題を解決し、放送事業者に要望することなく、コンテンツに付加されているメタデータを利用することで、コンテンツの様々な視聴を行うことができ、メタデータ制作者が制作したメタデータを配布・流通することができ、さらに、コンテンツの内容を詳細に表したメタデータを制作することができるメタデータテンプレート生成送信装置およびメタデータテンプレート生成送信プログラム、ならびに、オリジナルメタデータ制作装置およびオリジナルメタデータ制作プログラムを提供することを目的とする。
【課題を解決するための手段】
【００１５】
前記課題を解決するため、請求項１記載のメタデータテンプレート生成送信装置は、コンテンツを視聴した視聴者が当該コンテンツに付加されているメタデータである付加メタデータを用いて、前記視聴者が制作するメタデータであるオリジナルメタデータを制作するためのメタデータテンプレートを生成して、前記コンテンツと共に送出するメタデータテンプレート生成送信装置であって、コンテンツ記憶手段と、コンテンツ符号化手段と、記憶手段と、付加メタデータ・メタデータテンプレート生成手段と、暗号鍵生成手段と、スクランブル手段と、暗号鍵関連情報生成手段と、多重化送出手段と、を備える構成とした。
【００１６】
かかる構成によれば、メタデータテンプレート生成送信装置は、コンテンツ符号化手段によって、コンテンツ記憶手段に記憶されているコンテンツを符号化する。続いて、メタデータテンプレート生成送信装置は、記憶手段に記憶されている参照情報に基づいて、付加メタデータ・メタデータテンプレート生成手段によって、付加メタデータおよびメタデータテンプレートを生成する。付加メタデータは、予め蓄積してある参照情報（従来のメタデータや、コンテンツの制作者や出演者等に関する情報や各シーンに関する情報）を、手動または自動的に、放送事業者等（コンテンツ提供者）がコンテンツに対して予め付加するメタデータである。このメタデータテンプレートは、放送事業者（コンテンツ提供者）がコンテンツに予め付加する付加メタデータを利用して、コンテンツを視聴した視聴者が独自に編集・再構築（再構成）したオリジナルのメタデータ群（オリジナルメタデータ）を制作することができるように構成されているものである。このメタデータテンプレートは、例えば、メタデータ制作者のように、メタデータを制作することを職業（生業）にしている熟練者によって作成される。このメタデータテンプレートは、例えば、ＸＭＬ形式で記述されたものである。
【００１７】
また、メタデータテンプレート生成送信装置は、暗号鍵生成手段によって、コンテンツ符号化手段で符号化された符号化コンテンツと、付加メタデータ・メタデータテンプレート生成手段で生成された付加メタデータおよびメタデータテンプレートと、を暗号化する暗号鍵を生成する。なお、この暗号鍵は、共通鍵暗号化方式または公開鍵暗号化方式など、どのような方式で生成されたものであってもよい。
【００１８】
そして、メタデータテンプレート生成送信装置は、スクランブル手段によって、暗号鍵生成手段で生成された暗号鍵を使用して、符号化コンテンツと付加メタデータとメタデータテンプレートとを暗号化し、暗号化コンテンツとする。また、メタデータテンプレート生成送信装置は、暗号鍵関連情報生成手段によって、暗号鍵と、この暗号鍵およびコンテンツを対応付けた関連情報とを予め保持される保持鍵で暗号化し、暗号鍵関連情報とする。なお、関連情報の他に、コンテンツの提供元を示す情報や、コンテンツの視聴回数を制限する情報なども含めて暗号化してもよい。また、保持鍵は、予め、コンテンツを受信する受信側と共通して保持されるもので、ワーク鍵やマスター鍵に該当する。
【００１９】
その後、メタデータテンプレート生成送信装置は、多重化送出手段によって、スクランブル手段で暗号化された暗号化コンテンツと、暗号鍵関連情報生成手段で生成された暗号鍵関連情報とを多重化し、多重暗号化コンテンツとして、放送波により、または、ネットワークを介して、コンテンツを受信する受信側に向けて送出する。
【００２０】
請求項２記載のメタデータテンプレート生成送信装置は、請求項１に記載のメタデータテンプレート生成送信装置において、オリジナルメタデータ送信元判定手段と、メタデータ評価点加算手段と、メタデータ評価点比較手段とを備え、前記付加メタデータ・メタデータテンプレート生成手段は、前記メタデータ評価点比較手段で前記メタデータ評価点が前記閾値以上となった前記メタデータ制作者の制作したオリジナルメタデータを基準にして、前記メタデータテンプレートを生成することを特徴とする。
【００２１】
かかる構成によれば、メタデータテンプレート生成送信装置は、オリジナルメタデータ送信元判定手段によって、多重暗号化コンテンツを受信した受信側の視聴者がメタデータテンプレートを使用して制作したオリジナルメタデータおよび視聴者を識別する識別情報（ユーザＩＤ）を受信し、識別情報に基づいて、オリジナルメタデータを送信してきた送信元の視聴者が予め設定（登録）されているメタデータ制作者であるか否かを判定する。まず、このオリジナルメタデータ送信元判定手段では、視聴者がメタデータテンプレートを使用して制作したオリジナルメタデータを回収している。そして、このオリジナルメタデータ送信元判定手段では、オリジナルメタデータを制作した視聴者が予め設定（登録）されているかを判定し、例えば、当該視聴者が優秀なメタデータ制作者（メタデータの制作に関して放送事業者側が優秀であると認めた者）であると判定した場合には、当該視聴者が制作したオリジナルメタデータを採用することとしている。
【００２２】
そして、メタデータテンプレート生成送信装置は、メタデータ評価点加算手段によって、オリジナルメタデータ送信元判定手段で判定された判定結果に基づき、視聴者が前記メタデータ制作者であると判定された場合には、予め設定した評価基準に基づいて設定したメタデータ評価点を、メタデータ制作者（送信元の視聴者）の識別情報に従って加算する。例えば、このメタデータ評価点加算手段では、メタデータ制作者の識別情報である“０ｘ００”と、メタデータ評価点とを対応させたテーブルとして保持（記憶）しておき、取得されたメタデータ評価点を加算（累積）していく。
【００２３】
そして、メタデータテンプレート生成送信装置は、メタデータ評価点比較手段によって、メタデータ評価点加算手段で加算されたメタデータ評価点（累積されたメタデータ評価点）と予め設定した閾値とを比較し、閾値以上になった場合には、付加メタデータ・メタデータテンプレート生成手段によって、メタデータ制作者（送信元の視聴者）の制作したオリジナルメタデータを基準にして、メタデータテンプレートを生成する。オリジナルメタデータを基準にするとは、オリジナルメタデータにおける付加メタデータの選択の仕方や、配置の仕方等をメタデータテンプレートの雛形として反映させることである。
【００２４】
請求項３記載のメタデータテンプレート生成送信プログラムは、コンテンツを視聴した視聴者が当該コンテンツに付加されているメタデータである付加メタデータを用いて、前記視聴者が制作するメタデータであるオリジナルメタデータを制作するためのメタデータテンプレートを生成して、前記コンテンツと共に送出するために、前記コンテンツおよび前記コンテンツに関する参照情報を記憶している記憶手段を有しているコンピュータを、コンテンツ符号化手段、付加メタデータ・メタデータテンプレート生成手段、暗号鍵生成手段、スクランブル手段、暗号鍵関連情報生成手段、多重化送出手段、として機能させる構成とした。
【００２５】
かかる構成によれば、メタデータテンプレート生成送信プログラムは、コンテンツ符号化手段によって、コンテンツ記憶手段に記憶されているコンテンツを符号化し、符号化コンテンツとし、また、付加メタデータ・メタデータテンプレート生成手段によって、記憶手段に記憶されている参照情報に基づいて、付加メタデータおよびメタデータテンプレートを生成する。そして、メタデータテンプレート生成送信プログラムは、暗号鍵生成手段によって、コンテンツ符号化手段で符号化された符号化コンテンツと、付加メタデータ・メタデータテンプレート生成手段で生成された付加メタデータおよびメタデータデータテンプレートとを暗号化するための暗号鍵を生成し、スクランブル手段によって、暗号鍵生成手段で生成された暗号鍵を使用して、符号化コンテンツと付加メタデータとメタデータテンプレートとを暗号化し、暗号化コンテンツとする。また、メタデータテンプレート生成送信プログラムは、暗号鍵関連情報生成手段によって、暗号鍵生成手段で生成された暗号鍵と、この暗号鍵およびコンテンツを対応付けた関連情報とを予め保持されている保持鍵で暗号化し、暗号鍵関連情報とする。その後、メタデータテンプレート生成送信プログラムは、多重化送出手段によって、スクランブル手段で暗号化された暗号化コンテンツと、暗号鍵関連情報生成手段で生成された暗号鍵関連情報とを多重化し、多重暗号化コンテンツとして送出する。
【００２６】
請求項４記載のオリジナルメタデータ制作装置は、コンテンツに付加されたメタデータである付加メタデータを用いて、前記コンテンツの視聴者が制作するメタデータであるオリジナルメタデータを作成するためのメタデータテンプレートと、前記付加メタデータ、前記メタデータテンプレートおよび前記コンテンツが符号化された符号化コンテンツを暗号鍵で暗号化した暗号化コンテンツと、前記暗号鍵および前記コンテンツを対応付けた関連情報と前記暗号鍵とが予め送信側で保持されている保持鍵で暗号化された暗号鍵関連情報とを多重化した多重暗号化コンテンツを受信して、前記オリジナルメタデータを制作するオリジナルメタデータ制作装置であって、受信分離手段と、暗号化コンテンツ記憶手段と、暗号鍵関連情報復号手段と、暗号鍵記憶手段と、デスクランブル手段と、復号化手段と、提示手段と、オリジナルメタデータ制作手段と、を備える構成とした。
【００２７】
かかる構成によれば、オリジナルメタデータ制作装置は、受信分離手段によって、送信側から送信された、メタデータテンプレートを含んだ多重暗号化コンテンツを受信し、受信した多重暗号化コンテンツを、暗号化コンテンツ（付加メタデータおよびメタデータテンプレートを含む）と、暗号鍵関連情報とに分離する。続いて、オリジナルメタデータ制作装置は、暗号化コンテンツ記憶手段に、受信分離手段で分離した暗号化コンテンツ（付加メタデータおよびメタデータテンプレートを含む）を記憶する。
【００２８】
そして、オリジナルメタデータ制作装置は、暗号鍵関連情報復号手段によって、受信分離手段で分離された暗号鍵関連情報を、予め保持されている保持鍵（ワーク鍵、マスター鍵等）で復号し、暗号鍵を出力し、この出力した暗号鍵を暗号鍵記憶手段によって記憶する。そして、オリジナルメタデータ制作装置は、デスクランブル手段によって、暗号鍵記憶手段に記憶されている暗号鍵を使用して、暗号化コンテンツを復号し、付加メタデータ、メタデータテンプレートおよび符号化コンテンツとし、復号化手段によって、デスクランブル手段で復号された符号化コンテンツを復号化したコンテンツとして出力する。
【００２９】
また、オリジナルメタデータ制作装置は、提示手段によって、コンテンツを視聴した視聴者に対して、デスクランブル手段で復号されたメタデータテンプレートと、付加メタデータと提示し、オリジナルメタデータ制作手段によって、メタデータテンプレートと、付加メタデータとを利用して、オリジナルメタデータの制作を促す。
【００３０】
請求項５記載のオリジナルメタデータ制作装置は、請求項４に記載のオリジナルメタデータ制作装置において、前記多重暗号化コンテンツを送信してきた送信側に、前記オリジナルメタデータ制作手段で制作されたオリジナルメタデータを返信するオリジナルメタデータ返信手段を備えたことを特徴とする。
【００３１】
かかる構成によれば、オリジナルメタデータ制作装置は、オリジナルメタデータ返信手段によって、コンテンツを視聴した視聴者により、メタデータテンプレートが利用されて制作されたオリジナルメタデータを、ネットワークを介して返信することで、コンテンツ（多重暗号化コンテンツ）を提供した側（放送事業者、コンテンツ提供者）では、オリジナルメタデータを回収することができ、当該オリジナルメタデータを活用することが可能になる。
【００３２】
請求項６記載のオリジナルメタデータ制作プログラムは、コンテンツに付加されたメタデータである付加メタデータを用いて、前記コンテンツの視聴者が制作するメタデータであるオリジナルメタデータを作成するためのメタデータテンプレートと、前記付加メタデータ、前記メタデータテンプレートおよび前記コンテンツが符号化された符号化コンテンツを暗号鍵で暗号化した暗号化コンテンツと、前記暗号鍵および前記コンテンツを対応付けた関連情報と前記暗号鍵とが予め送信側で保持されている保持鍵で暗号化された暗号鍵関連情報とを多重化した多重暗号化コンテンツを受信して、前記オリジナルメタデータを制作するために、暗号化コンテンツを記憶する暗号化コンテンツ記憶手段および前記暗号鍵を記憶する暗号鍵記憶手段を有しているコンピュータを、受信分離手段、暗号鍵関連情報復号手段、デスクランブル手段、復号化手段、提示手段、オリジナルメタデータ制作手段、として機能させる構成とした。
【００３３】
かかる構成によれば、オリジナルメタデータ制作プログラムは、受信分離手段によって、送信側から送信された、メタデータテンプレートを含んだ多重暗号化コンテンツを受信し、受信した多重暗号化コンテンツを、暗号化コンテンツと暗号鍵関連情報とに分離する。続いて、オリジナルメタデータ制作プログラムは、暗号化コンテンツ記憶手段に、受信分離手段で分離した暗号化コンテンツを記憶させる。
【００３４】
そして、オリジナルメタデータ制作プログラムは、暗号鍵関連情報復号手段によって、受信分離手段で分離された暗号鍵関連情報を、予め保持されている保持鍵（ワーク鍵、マスター鍵等）で復号し、暗号鍵を出力し、この出力した暗号鍵を暗号鍵記憶手段に記憶させる。そして、オリジナルメタデータ制作プログラムは、デスクランブル手段によって、暗号鍵記憶手段に記憶されている暗号鍵を使用して、暗号化コンテンツを復号し、付加メタデータ、メタデータテンプレートおよび符号化コンテンツとし、復号化手段によって、デスクランブル手段で復号された符号化コンテンツを復号化したコンテンツとして出力する。また、オリジナルメタデータ制作プログラムは、提示手段によって、デスクランブル手段で復号されたメタデータテンプレートと、コンテンツに付加されている付加メタデータとを提示し、オリジナルメタデータ制作手段によって、メタデータテンプレートと、付加メタデータとを利用して、オリジナルメタデータの制作を促す。
【発明の効果】
【００３５】
請求項１または３記載の発明によれば、メタデータテンプレートをコンテンツを視聴する視聴者に多重暗号化コンテンツに多重させて送信しているので、放送事業者に要望することなく、コンテンツに付加したメタデータを利用することで、コンテンツの様々な視聴を行うことができるオリジナルメタデータを制作することができる。
【００３６】
請求項２記載の発明によれば、オリジナルメタデータを回収して、当該オリジナルメタデータを制作した視聴者を判定することで、視聴者がメタデータ制作者となって制作したオリジナルメタデータが優秀である（メタデータ制作者が優秀である）と放送事業者側で認められれば、制作したオリジナルメタデータをメタデータテンプレートに反映させることができ、メタデータテンプレートの形式で、多重暗号化コンテンツに収められて配布・流通することができる。さらに、コンテンツを視聴する視聴者によってオリジナルメタデータが制作され、しかも、放送事業者側で当該視聴者が優秀なメタデータ制作者であるかどうかが判定されるので、必然的に、視聴者は優れたオリジナルメタデータを制作しようとのモチベーションが上昇し（他の視聴者への競争意識が芽生え）、その結果として、コンテンツの内容を詳細に表したメタデータを制作することに繋げることができる。
【００３７】
請求項４または６記載の発明によれば、メタデータテンプレートとコンテンツに付加された付加メタデータとを使用して、コンテンツを視聴する視聴者は、オリジナルメタデータを制作することができる。
【００３８】
請求項５記載の発明によれば、コンテンツを視聴した視聴者により、メタデータテンプレートが利用されて制作されたオリジナルメタデータを、ネットワークを介して返信することで、コンテンツ（多重暗号化コンテンツ）を提供した側（放送事業者、コンテンツ提供者）では、オリジナルメタデータを回収することができ、当該オリジナルメタデータを活用することが可能になる。
【発明を実施するための最良の形態】
【００３９】
次に、本発明の実施形態について、適宜、図面を参照しながら詳細に説明する。
この実施形態の説明では、まず、メタデータテンプレート生成送信装置の構成と動作の説明を行い、続いて、オリジナルメタデータ制作装置の構成と動作の説明を行い、最後に、メタデータテンプレート生成送信装置とオリジナルメタデータ制作装置とによる視聴者参加型のメタデータフロー（メタデータの流れ）について説明する。
【００４０】
〈メタデータテンプレート生成送信装置の構成〉
図１は、メタデータテンプレート生成送信装置のブロック図である。この図１に示すように、メタデータテンプレート生成送信装置１は、視聴者が独自のメタデータを制作（作成）するためのツール（雛形）となるメタデータテンプレートを生成し、放送番組であるコンテンツと共に放送するもので、コンテンツ記憶手段３と、コンテンツ符号化手段５と、付加メタデータ・メタデータテンプレート生成手段７と、暗号鍵生成手段９と、スクランブル手段１１と、暗号鍵関連情報生成手段１３と、保持鍵記憶手段１５と、多重化送出手段１７と、オリジナルメタデータ送信元判定手段１９と、メタデータ評価点加算手段２１と、メタデータ評価点比較手段２３とを備えている。
【００４１】
なお、このメタデータテンプレート生成送信装置１は、放送事業者側の設備に組み込まれているものである。また、メタデータテンプレート生成送信装置１で取り扱われるメタデータは２種類あり、この２種類のメタデータとは、予めコンテンツに付加しておく付加メタデータと、メタデータテンプレートを使用して視聴者によって編集（制作）された、コンテンツの様々な視聴を可能にするオリジナルメタデータとである。
【００４２】
コンテンツ記憶手段３は、ハードディスク等の記憶媒体によって構成され、放送番組であるコンテンツを記憶するものである。そして、このコンテンツ記憶手段３に記憶されているコンテンツは、メタデータテンプレート生成送信装置１を使用する放送事業者が操作する操作手段（図示せず）からの操作信号に従って、或いは、予め保持されているコンテンツの送出時刻を定めたコンテンツ送出時刻設定テーブルに従って、コンテンツ符号化手段５に出力される。
【００４３】
コンテンツ符号化手段５は、コンテンツ記憶手段３から出力されたコンテンツを符号化し、符号化コンテンツとして、スクランブル手段１１に出力するものである。このコンテンツ符号化手段５では、例えば、ＭＰＥＧ−２や、ＪＰＥＧ−２０００等の圧縮符号化方式によりコンテンツを圧縮符号化する。
【００４４】
付加メタデータ・メタデータテンプレート生成手段７は、コンテンツ（符号化コンテンツ）に付加するメタデータである付加メタデータと、メタデータテンプレートとを生成して、スクランブル手段１１に出力すると共に、ネットワークを介して、受信側（後記するオリジナルメタデータ制作装置）に送信するものである。なお、この実施形態では、メタデータテンプレートは、ＸＭＬ形式で記述されている（このメタデータテンプレートを使用して作成したオリジナルメタデータとして、後ほど詳細に説明する）。
【００４５】
この付加メタデータ・メタデータテンプレート生成手段７は、以前に放送されたコンテンツについて、当該コンテンツのコンテンツ名（識別子）と、当該コンテンツの各シーンについての、シーンの概略、出演者およびコンテンツ開始からの経過時間（各シーンの時刻）を少なくとも記述したメタデータとを関連付けた情報（参照情報）を記憶している記憶手段（図示せず）を参照して、付加メタデータを生成する。
【００４６】
また、付加メタデータ・メタデータテンプレート生成手段７は、当初（一番最初にコンテンツ（多重暗号化コンテンツ）を放送するとき）、予め保持している、メタデータ制作者が制作したメタデータテンプレートをスクランブル手段１１に出力し、その後、視聴者が送信してきたオリジナルメタデータ（送信元が判定され、メタデータ評価点が一定水準に達しているもの、詳細は後記）に基づいて、メタデータテンプレートを生成する。
【００４７】
暗号鍵生成手段９は、コンテンツ（符号化コンテンツ）を暗号化する暗号鍵を生成するものである。また、この暗号鍵生成手段９は生成した暗号鍵をスクランブル手段１１と暗号鍵関連情報生成手段１３とに出力している。この暗号鍵生成手段９で生成される暗号鍵は、コンテンツ毎に設定されるもので、例えば、共通鍵暗号化方式におけるコンテンツ鍵Ｋｃである。この暗号鍵生成手段９は、コンテンツ鍵Ｋｃと、コンテンツを識別する識別子とを対応付けて当該コンテンツ鍵Ｋｃを生成している。以下、この暗号鍵生成手段９で生成された暗号鍵をコンテンツ鍵Ｋｃとする。
【００４８】
スクランブル手段１１は、コンテンツ符号化手段５で符号化された符号化コンテンツと、付加メタデータ・メタデータテンプレート生成手段７で生成された付加データおよびメタデータテンプレートとを、暗号鍵生成手段９で生成されたコンテンツ鍵Ｋｃでスクランブル（暗号化）し、暗号化コンテンツとするものである。このスクランブル手段１１で暗号化された暗号化コンテンツは、多重化送出手段１７に出力される。
【００４９】
暗号鍵関連情報生成手段１３は、暗号鍵生成手段９で生成されたコンテンツ鍵Ｋｃと、このコンテンツ鍵Ｋｃで暗号化したコンテンツの識別子であるコンテンツ識別子とを保持鍵記憶手段１５に記憶されている保持鍵で暗号化し、暗号鍵関連情報として生成するものである。この暗号鍵関連情報生成手段１３で生成された暗号鍵関連情報は、多重化送出手段１７に出力される。この実施形態では、暗号鍵関連情報は、Ｋｃ伝送用ＥＣＭ／ＥＭＭ（コンテンツ鍵Ｋｃを受信側に伝送するための個別情報）として、多重化送出手段１７に出力される。
【００５０】
保持鍵記憶手段１５は、メモリ等によって構成され、コンテンツ鍵Ｋｃとコンテンツ識別子とを暗号化する保持鍵を記憶するものである。この保持鍵は、予め当該装置１内で保持されているもので、例えば、共通鍵暗号化方式におけるワーク鍵Ｋｗ、または、マスター鍵Ｋｍである。
【００５１】
多重化送出手段１７は、スクランブル手段１１でスクランブルされて出力された暗号化コンテンツと、暗号鍵関連情報生成手段１３で生成された暗号鍵関連情報とを多重化して、多重暗号化コンテンツとし、この多重暗号化コンテンツを放送波によって送出するものである。
【００５２】
オリジナルメタデータ送信元判定手段１９は、ネットワークを介して、受信側（視聴者側）から送信してきたオリジナルメタデータを受信すると共に、このオリジナルメタデータを送信してきた送信元、つまり、視聴者を判定するものである。このオリジナルメタデータの送信元を判定する判定の仕方は、オリジナルメタデータに付与されているユーザＩＤ（視聴識別子）と、図示を省略した記憶手段に予め記憶（登録）されている視聴者識別子とを比較することによって行われ、ユーザＩＤ（視聴識別子）が一致した場合にメタデータ評価点加算手段２１にオリジナルメタデータを出力する。
【００５３】
なお、このユーザＩＤ（視聴識別子）は、別途ネットワーク上で開催されるメタデータのコンテスト等で優秀なメタデータ（オリジナルメタデータ）を生成した者（コンテンツの視聴者であり、メタデータの制作者）、或いは、コンテスト等の評価団体に対して付与しておくことを想定している。
【００５４】
また、このオリジナルメタデータ送信元判定手段１９は、ユーザＩＤ（視聴者識別子）に基づいて、オリジナルメタデータを制作した者が、個人であるのか、コンテスト等の評価団体であるのかを判定する機能を有している。
【００５５】
逆に、メタデータテンプレートを使用（利用）して、様々な視聴者（一般の視聴者であり、年齢層、職業、嗜好等が多種多様な視聴者）やメタデータ制作者（メタデータの制作を職業とするもの、プロフェッショナル）が、オリジナルメタデータを制作（作成）することで、オリジナルメタデータの優劣を競うコンテスト（喩えるなら、映画の優劣を、映画評論家やマスコミ関係者等の映画に関する有識人によって構成される審査員の投票の多寡で決定するもの）等を、広く開催することが可能になる。
【００５６】
そして、こういったコンテンストを開催することで、優秀なオリジナルメタデータについては、放送事業者が買い取りを行って、コンテンツ（多重暗号化コンテンツ）と共に放送することで、一般の視聴者に対して広く配布するなどして、優秀なメタデータ制作者の育成・発掘を行って、受信側（視聴者側）でコンテンツの蓄積を行ってから視聴する形態であるサーバ型放送のメリットを最大限に生かすことが可能になる。
【００５７】
メタデータ評価点加算手段２１は、オリジナルメタデータ送信元判定手段１９で、ユーザＩＤ（視聴者識別子）を持った視聴者、つまり、優秀なオリジナルメタデータを制作することが可能であると認められたメタデータ制作者（一般の視聴者、プロフェッショナル）が送信してきたオリジナルメタデータの評価点（メタデータ評価点）を、予め設定した基準（オリジナルメタデータを審査する審査員の主観、または、技術点、構成点若しくは芸術点等［参考として、シンクロナイズドスイミングやフィギュアスケートのように、評価基準があって芸術点や技術点を算出する］、複数の観点からの総合点等）に基づいて算出し、視聴識別子に従って、メタデータ制作者毎に加算する（累積していく）。
【００５８】
例えば、オリジナルメタデータ送信元判定手段１９により、オリジナルメタデータの送信元がコンテスト等の評価団体であると判定されていれば、メタデータ評価点加算手段２１は、優秀作品（優秀なオリジナルメタデータ）には１０点を、評価団体のメタデータ評価点として加算し、この優秀作品を制作した評価団体の視聴者には１０点（累計１０点）を、視聴者識別子のメタデータ評価点として加算する。また、オリジナルメタデータ送信元判定手段１９により、オリジナルメタデータの送信元が個人であると判定されていれば、メタデータ評価点加算手段２１は、当該個人の視聴者識別子へのメタデータ評価点として加算する。
【００５９】
メタデータ評価点比較手段２３は、メタデータ評価点加算手段２１で加算されたメタデータ制作者のメタデータ評価点と予め設定した閾値（例えば、１００点）とを比較するものである。そして、このメタデータ評価点比較手段２３で比較した結果、メタデータ制作者のメタデータ評価点が閾値を超えた場合には、付加メタデータ・メタデータテンプレート生成手段７でメタデータテンプレートを生成する際の基準に採用される。
【００６０】
また、メタデータ制作者のメタデータ評価点が閾値を超えた場合には、このメタデータ制作者を、特に優秀なメタデータ制作者として認定し、オリジナルメタデータの制作に関する契約を交わして、別のルートで（別のＵＲＬを使って）で、オリジナルメタデータを送信できるようにすることができる。
【００６１】
〈メタデータテンプレート生成送信装置の動作〉
次に、図３に示すフローチャートを参照して、メタデータテンプレート生成送信装置の動作について説明する（適宜、図１参照）。
まず、メタデータテンプレート生成送信装置１は、コンテンツ記憶手段３に記憶されているコンテンツ（放送番組）を、コンテンツ符号化手段５によって、符号化する（ステップＳ１）。
【００６２】
続いて、メタデータテンプレート生成送信装置１は、付加メタデータ・メタデータテンプレート生成手段７によって、付加メタデータおよびメタデータテンプレートを生成する（ステップＳ２）。なお、この付加メタデータ・メタデータテンプレート生成手段７によって、メタデータテンプレートを生成する際に、メタデータ評価点比較手段２３でメタデータ評価点と閾値とを比較した結果、メタデータ評価点が閾値を超えていた場合、このメタデータ評価点を得たメタデータ制作者の制作（作成）したオリジナルメタデータを参照してメタデータテンプレートの生成が行われる。
【００６３】
また、メタデータテンプレート生成送信装置１は、暗号鍵生成手段９によって、暗号鍵（コンテンツ鍵Ｋｃ）を、コンテンツ毎に生成する（ステップＳ３）。そして、メタデータテンプレート生成送信装置１は、スクランブル手段１１によって、コンテンツ符号化手段５で符号化された符号化コンテンツと、付加メタデータ・メタデータテンプレート生成手段７で生成された付加メタデータおよびメタデータテンプレートとを、暗号鍵生成手段９で生成されたコンテンツ鍵Ｋｃを使用してスクランブル（暗号化）する（ステップＳ４）。
【００６４】
また、メタデータテンプレート生成送信装置１は、暗号鍵関連情報生成手段１３によって、暗号鍵生成手段９で生成されたコンテンツ鍵Ｋｃと、このコンテンツ鍵Ｋｃで暗号化されたコンテンツを識別するためのコンテンツ識別子とを、保持鍵記憶手段１５に記憶されている保持鍵（ワーク鍵Ｋｗ、または、マスター鍵Ｋｍ）で暗号化し、暗号鍵関連情報を生成する（ステップＳ５）。
【００６５】
そして、メタデータテンプレート生成送信装置１は、多重化送出手段１７によって、スクランブル手段１１でスクランブルされた暗号化コンテンツと、暗号鍵関連情報生成手段１３で生成された暗号鍵関連情報とを多重化し、多重暗号化コンテンツとして放送波により送出する（ステップＳ６）。
【００６６】
さらに、ここで、メタデータテンプレート生成送信装置１における、オリジナルメタデータ送信元判定手段１９、メタデータ評価点加算手段２１およびメタデータ評価点比較手段２３の動作のみをピックアップし、図４に示すフローチャートを参照して説明する（適宜、図１参照）。
【００６７】
まず、メタデータテンプレート生成送信装置１は、ネットワークを介して、視聴者が制作したメタデータ（視聴者制作のメタデータ［メタデータ制作者ＩＤ付］、つまり、オリジナルメタデータ［ユーザＩＤ（視聴者識別子）付］）をオリジナルメタデータ送信元判定手段１９によって受信する。
【００６８】
そうすると、メタデータテンプレート生成送信装置１は、オリジナルメタデータ送信元判定手段１９によって、メタデータ（オリジナルメタデータ）の送信元がコンテストなどの評価団体であるのか、個人であるのかを、メタデータ制作者ＩＤ（ユーザＩＤ（視聴者識別子））に従って判定し（ステップＳ１１）、コンテストなどの評価団体であると判定した場合には、メタデータ制作者ＩＤ（ユーザＩＤ（視聴者識別子））毎にメタデータ評価点を加算する（ステップＳ１２）。
【００６９】
そして、メタデータテンプレート生成送信装置１は、メタデータ評価点比較手段２３によって、メタデータ制作者ＩＤ（ユーザＩＤ（視聴者識別子））毎に加算したメタデータ評価点が閾値を超えた場合（閾値以上であった場合）、付加メタデータ・メタデータテンプレート生成手段７で参照するメタデータテンプレートとして利用する（ステップＳ１４）。
【００７０】
また、ステップＳ１１にて、メタデータ（オリジナルメタデータ）の送信元が個人であると判定した場合には、メタデータテンプレート生成送信装置１は、メタデータ評価点比較手段２３によって、メタデータ評価点（累積したメタデータ評価点）がある閾値以上であるかどうかを判定し（ステップＳ１３）、閾値未満であると判定した場合には登録せず（付加メタデータ・メタデータテンプレート生成手段７で参照せず）、メタデータ制作者である視聴者に返却する。また、閾値以上であると判定した場合には、付加メタデータ・メタデータテンプレート生成手段７で参照するメタデータテンプレートとして利用する（ステップＳ１４）。
【００７１】
このメタデータテンプレート生成送信装置１によれば、コンテンツ符号化手段５によって、コンテンツ記憶手段３に記憶されているコンテンツが符号化され、付加メタデータ・メタデータテンプレート生成手段７によって、付加メタデータおよびメタデータテンプレートが生成され、暗号鍵生成手段９によって、これらを暗号化するコンテンツ鍵Ｋｃが生成される。そして、スクランブル手段１１によって、暗号鍵生成手段９で生成されたコンテンツ鍵Ｋｃが使用されて、符号化コンテンツと付加メタデータとメタデータテンプレートとが暗号化され、暗号化コンテンツとされる。また、暗号鍵関連情報生成手段１３によって、コンテンツ鍵Ｋｃと、このコンテンツ鍵Ｋｃとコンテンツとを対応付けた関連情報とが予め保持される保持鍵で暗号化され、暗号鍵関連情報とされる。そして、多重化送出手段１７によって、暗号化コンテンツと、暗号鍵関連情報とが多重化され、多重暗号化コンテンツとして、放送波により、または、ネットワークを介して、コンテンツを受信する受信側に向けて送出される。これにより、メタデータテンプレートをコンテンツを視聴する視聴者に多重暗号化コンテンツに多重させて送信しているので、視聴者は、放送事業者に要望することなく、コンテンツに付加されているメタデータを利用することで、コンテンツの様々な視聴を行うことができるオリジナルメタデータを制作することができる。
【００７２】
また、このメタデータテンプレート生成送信装置１によれば、オリジナルメタデータ送信元判定手段１９によって、多重暗号化コンテンツを受信した受信側の視聴者がメタデータテンプレートを使用して制作したオリジナルメタデータおよび視聴者を識別するユーザＩＤ（視聴者識別子）を受信し、ユーザＩＤ（視聴者識別子）に基づいて、オリジナルメタデータを送信してきた送信元の視聴者が予め設定（登録）されているメタデータ制作者であるか否かをが判定される。そして、メタデータ評価点加算手段２１によって、オリジナルメタデータ送信元判定手段１９で判定された判定結果に基づき、視聴者がメタデータ制作者であると判定された場合には、予め設定した評価基準に基づいて設定したメタデータ評価点が、メタデータ制作者（送信元の視聴者）のユーザＩＤ（視聴者識別子）に従って加算される。そして、メタデータ評価点比較手段２３によって、メタデータ評価点加算手段２１で加算されたメタデータ評価点（累積されたメタデータ評価点）と予め設定した閾値とが比較され、閾値以上になった場合には、付加メタデータ・メタデータテンプレート生成手段７によって、メタデータ制作者（送信元の視聴者）が制作したオリジナルメタデータを基準にして、メタデータテンプレートが生成される。
【００７３】
このため、オリジナルメタデータを回収して、当該オリジナルメタデータを制作した視聴者を判定することで、視聴者がメタデータ制作者となって制作したオリジナルメタデータが優秀である（メタデータ制作者が優秀である）と放送事業者側で認められれば、制作したオリジナルメタデータをメタデータテンプレートに反映させることができ、メタデータテンプレートの形式で、多重暗号化コンテンツに収められて配布・流通することができる。さらに、コンテンツを視聴する視聴者によってオリジナルメタデータが制作され、しかも、放送事業者側で当該視聴者が優秀なメタデータ制作者であるかどうかが判定されるので、必然的に、視聴者は優れたオリジナルメタデータを制作しようとのモチベーションが上昇し（他の視聴者への競争意識が芽生え）、その結果として、コンテンツの内容を詳細に表したメタデータを制作することに繋げることができる。
【００７４】
〈オリジナルメタデータ制作装置の構成〉
図２は、オリジナルメタデータ制作装置のブロック図である。この図２に示すように、オリジナルメタデータ制作装置３１は、受信側に設けられており、放送側から放送された多重暗号化コンテンツを受信して、この受信した多重暗号化コンテンツに含まれているメタデータテンプレートを使用して、受信側の視聴者が独自のメタデータの組み合わせであるオリジナルメタデータを制作（作成）するためのもので、受信分離手段３３と、暗号化コンテンツ記憶手段３５と、暗号鍵関連情報復号手段３７と、保持鍵記憶手段３９と、暗号鍵記憶手段４１と、デスクランブル手段４３と、オリジナルメタデータ制作手段４５と、復号化手段４７と、オリジナルメタデータ返信手段４９と、付加メタデータ・メタデータテンプレート受信手段５１とを備えている。
【００７５】
また、このオリジナルメタデータ制作装置３１には、当該装置３１の外部から、当該装置３１を操作（視聴するコンテンツの選択、オリジナルメタデータを生成する際の付加メタデータの選択等）する操作信号を出力する操作手段２と、コンテンツ、付加メタデータおよびメタデータテンプレートを表示する表示装置４とが備えられている。
【００７６】
操作手段２は、視聴者が取り扱う、リモコンやキーボード等で構成されるインターフェースであり、暗号化コンテンツ記憶手段３５に暗号化コンテンツを出力させる操作信号（暗号化コンテンツ出力信号）と、オリジナルメタデータ制作手段４５でオリジナルメタデータを生成する際に入力する各種の操作信号を出力するものである。
【００７７】
なお、このオリジナルメタデータ制作装置３１は、受信分離手段３３、デスクランブル手段４３および復号化手段４７からなる受信機と、暗号鍵関連情報復号手段３７、保持鍵記憶手段３９および暗号鍵記憶手段４１からなるセキュリティモジュール（ＩＣカード）と、暗号化コンテンツ記憶手段３５のみで構成される蓄積装置と、オリジナルメタデータ制作手段４５のみで構成されるメタデータ制作装置と、オリジナルメタデータ返信手段４９および付加メタデータ・メタデータテンプレート受信手段５１からなる通信装置とを併合して構成したものである。
【００７８】
受信分離手段３３は、送信側（メタデータテンプレート生成送信装置１）から放送波として送出された多重暗号化コンテンツを受信し、この受信した多重暗号化コンテンツを、暗号化コンテンツと暗号鍵関連情報とに分離し、分離した暗号化コンテンツを暗号化コンテンツ記憶手段３５（または、デスクランブル４３）に出力すると共に、暗号鍵関連情報を暗号鍵関連情報復号手段３７に出力するものである。
【００７９】
なお、この実施形態では、サーバ型放送を前提としているので、受信分離手段３３で分離された暗号化コンテンツは、原則的に暗号化コンテンツ記憶手段３５に記憶されるものとしている。ただし、視聴者からの要望（操作手段２から入力される操作信号）によっては、暗号化コンテンツを暗号化コンテンツ記憶手段３５に記憶させずに、デスクランブル手段４３に出力される。
【００８０】
暗号化コンテンツ記憶手段３５は、ハードディスク等の記憶媒体によって構成されており、受信分離手段３３で分離された暗号化コンテンツを記憶する（蓄積しておく）ものである。この暗号化コンテンツ記憶手段３５に記憶された暗号化コンテンツは、操作手段２から出力された操作信号（暗号化コンテンツ出力信号）に従って、デスクランブル手段４３に出力される。
【００８１】
暗号鍵関連情報復号手段３７は、受信分離手段３３で分離された暗号鍵関連情報（Ｋｃ伝送用ＥＣＭ／ＥＭＭ）を、保持鍵記憶手段３９で保持している保持鍵を使用して復号して、暗号鍵であるコンテンツ鍵Ｋｃと、このコンテンツ鍵Ｋｃで暗号化したコンテンツの識別子であるコンテンツ識別子とを暗号鍵記憶手段４１に出力するものである。
【００８２】
保持鍵記憶手段３９は、メモリ等の記憶媒体によって構成されており、暗号鍵関連情報復号手段３７で暗号鍵関連情報を復号する際に用いる保持鍵（ワーク鍵Ｋｗ、または、マスター鍵Ｋｍ）を予め記憶しているものである。
この保持鍵は、送信側（メタデータテンプレート生成送信装置１）と共通して保持され、この実施形態では、共通鍵暗号化方式におけるワーク鍵Ｋｗ、または、マスター鍵Ｋｍを採用している。
【００８３】
暗号鍵記憶手段４１は、メモリ等の記憶媒体によって構成されており、暗号鍵関連情報復号手段３７で暗号鍵関連情報が復号されて出力されたコンテンツ鍵Ｋｃと、このコンテンツ鍵Ｋｃで暗号化したコンテンツのコンテンツ識別子とを対応付けて記憶するものである。
【００８４】
デスクランブル手段４３は、操作手段２からの操作信号（暗号化コンテンツ出力信号）に従って、暗号化コンテンツ記憶手段３５から出力された暗号化コンテンツを、暗号鍵記憶手段４１に記憶されているコンテンツ鍵Ｋｃを使用して、デスクランブルするものである。
【００８５】
このデスクランブル手段４３では、暗号化コンテンツが入力されると、この暗号化コンテンツに含まれているコンテンツ（暗号化され、符号化されているコンテンツ）を識別するコンテンツ識別子を、暗号鍵記憶手段４１に出力し、この暗号鍵出力手段４１からコンテンツ識別子に対応するコンテンツ鍵Ｋｃを読み出して、使用することで、暗号化コンテンツをデスクランブルしている。
【００８６】
そして、デスクランブル手段４３は、暗号化コンテンツをデスクランブルした結果得られた符号化コンテンツ、付加メタデータおよびメタデータテンプレートについて、付加メタデータおよびメタデータテンプレートをオリジナルメタデータ制作手段４５に出力すると共に、符号化コンテンツを復号化手段４７に出力する。
【００８７】
オリジナルメタデータ制作手段４５は、デスクランブル手段４３または付加メタデータ・メタデータテンプレート受信手段５１から出力された付加メタデータおよびメタデータテンプレートを表示装置４に表示させて、これらを見ながら視聴者が操作手段２を操作し、この操作手段２から入力される操作信号に従って、オリジナルメタデータを制作（作成）するものである。つまり、この実施形態では、オリジナルメタデータ制作手段４５は、付加メタデータおよびメタデータテンプレートを表示装置４に表示させる提示手段を包含するものである。
【００８８】
ここで、図６、図７を参照して、オリジナルメタデータ制作手段４５によって、表示装置４に表示されるメタデータテンプレートと、メタデータテンプレートを使用して作成（制作）したＸＭＬ形式メタデータ（オリジナルメタデータ）の例について説明する。
【００８９】
図６は、オリジナルメタデータ制作手段４５によって、表示装置４に表示されるメタデータテンプレートの例を示した図である。この図６に示すように、メタデータテンプレートは、コンテンツのタイトル（紅白歌合戦２００３年）を基幹とし、コンテンツ内のイベントそれぞれ（前半戦、後半戦、特ベテラン戦、特ビギナー戦等）を枝葉としたツリー構造をしている。
【００９０】
付加メタデータは、メタデータテンプレートのツリー構造を成す枝葉に相当しており、ここでは、付加メタデータは、紅白歌合戦２００３年の合戦順（対戦順）に付されたイベントそのものであり、例えば、紅白歌合戦に初出場の歌手同士の対戦である「特ビギナー戦」は、「十三回戦〜十六回戦」と、「二十五回戦〜二十八回戦」とであることを示している。
【００９１】
そして、視聴者は、これらの付加メタデータを編集加工することで、オリジナルメタデータを生成することができる。例えば、「特ビギナー戦」である「十三回戦〜十六回戦」と「二十五回戦〜二十八回戦」とを「オープニング」の直後に視聴できるように、イベントの順序を入れ替えると共に、「特ベテラン戦」の対戦において、紅組または白組の出演者が６０才以上である場合には、カットして（視聴しないようにして）、エンディングを迎えるようにコンテンツを視聴できるオリジナルメタデータを制作することができる。
【００９２】
ここでは、図示していないが、例えば、ドラマ等のコンテンツで主人公が物語のクライマックスで亡くなるような場合、この亡くなるシーンを示す付加メタデータを、メタデータテンプレート上で、順序を入れ替えることで、ドラマの冒頭に持ってきたオリジナルメタデータを生成することができる。
【００９３】
また、コンテンツとして、複数のエピソードと複数のエンディングとを混在させておき、視聴がメタデータテンプレートを使用して、これらのエピソードやエンディングのシーンを示す付加メタデータを、自在に編集することで、様々な印象を与えるコンテンツの視聴が可能になる。
【００９４】
図７は、メタデータテンプレートを使用して作成（制作）したＸＭＬ形式メタデータ（オリジナルメタデータ）の例を示した図である。
この図７に示すように、ＸＭＬ形式メタデータ（オリジナルメタデータ）は、メタデータ制作者が作成した部分と、メタデータ制作者の署名と、コンテスト名と、順位と、ポイント（メタデータ評価点）とを記載したものである。
【００９５】
メタデータ制作者が作成した部分は、メタデータ制作者、つまり、コンテンツの視聴者が、付加メタデータの順序を変更したり、削除したり、追加したりした編集履歴（ＸＭＬで記載されている）が記載されている箇所である。メタデータ制作者の署名は、視聴者のメタデータ制作者ＩＤ（ユーザＩＤ［視聴者識別子］）を記載したものである。
【００９６】
コンテスト名は、オリジナルメタデータの優劣を競うコンテストのタイトル名であり、コンテストがどのような主旨で開かれたものであるかを推測する手がかりとなるものである。順位は、コンテストの順位を示すものであり、ポイントは、取得したメタデータ評価点を示すものである。
【００９７】
このように記載されたＸＭＬ形式メタデータ（オリジナルメタデータ）を、コンテンツ（多重暗号化コンテンツ）の送信側である放送事業者が回収することで、安価で優秀なオリジナルメタデータを入手することができ、付加メタデータ・メタデータテンプレート生成手段７に反映することで、広く配布・流通させることができる。
【００９８】
図２に戻って、オリジナルメタデータ制作装置３１の構成の説明を続ける。
復号化手段４７は、デスクランブル手段４３で暗号化コンテンツがデスクランブルされて出力された符号化コンテンツを復号化して、当該装置３１の外部に備えられている表示装置４に出力するものである。この復号化手段４７の復号化方式は、送信側（メタデータテンプレート生成送信装置１）で施された符号化方式に対応するものである。
【００９９】
オリジナルメタデータ返信手段４９は、オリジナルメタデータ制作手段４５で制作（作成）されたオリジナルメタデータを、ネットワークを介して、送信側（メタデータテンプレート生成送信装置１）に返信するものである。
【０１００】
付加メタデータ・メタデータテンプレート受信手段５１は、送信側で生成されて、ネットワークを介して、単独で（暗号化コンテンツに多重化されずに）送信された付加メタデータおよびメタデータテンプレートを受信するものである。
【０１０１】
〈オリジナルメタデータ制作装置の動作〉
次に、図５に示すフローチャートを参照して、オリジナルメタデータ制作装置の動作を説明する（適宜、図２参照）。
まず、オリジナルメタデータ制作装置３１は、受信分離手段３３によって、多重暗号化コンテンツを受信し、暗号コンテンツと、暗号鍵関連情報とに分離する（ステップＳ２１）。続いて、オリジナルメタデータ制作装置３１は、暗号化コンテンツ記憶手段３５に、受信分離手段３３で分離された暗号化コンテンツ（付加メタデータおよびメタデータテンプレートと含む）を記憶する（ステップＳ２２）。
【０１０２】
また、オリジナルメタデータ制作装置３１は、暗号鍵関連情報復号手段３７によって、保持鍵記憶手段３９で記憶されている保持鍵（ワーク鍵Ｋｗ、または、マスター鍵Ｋｍ）を使用して、受信分離手段３３で分離された暗号鍵関連情報を復号し（ステップＳ２３）、暗号鍵（コンテンツ鍵Ｋｃ）を出力し、この暗号鍵（コンテンツ鍵Ｋｃ）を暗号鍵記憶手段４１に記憶する（ステップＳ２４）。
【０１０３】
そして、オリジナルメタデータ制作装置３１は、デスクランブル手段４３によって、暗号鍵記憶手段４１で記憶されているコンテンツ鍵Ｋｃを使用して、暗号化コンテンツを復号し（ステップＳ２６）、付加メタデータおよびメタデータテンプレートをオリジナルメタデータ制作手段４５に出力し、符号化コンテンツを復号化手段４７に出力する。
【０１０４】
そして、オリジナルメタデータ制作装置３１は、復号化手段４７によって、符号化コンテンツを復号化し（ステップＳ２６）、コンテンツとして、当該装置３１の外部に接続されている表示装置４に出力する。
【０１０５】
その後、オリジナルメタデータ制作装置３１は、オリジナルメタデータ制作手段４５によって、視聴者に対してオリジナルメタデータの制作を促し、そして、当該視聴者は、付加メタデータおよびメタデータテンプレートを利用して、オリジナルメタデータを制作する（ステップＳ２７）。
【０１０６】
このオリジナルメタデータ制作装置３１によれば、受信分離手段３３によって、送信側から送信された、メタデータテンプレートを含んだ多重暗号化コンテンツが受信され、受信された多重暗号化コンテンツが、暗号化コンテンツと、付加メタデータおよびメタデータテンプレートと、暗号鍵関連情報（Ｋｃ伝送用ＥＣＭ／ＥＭＭ）とに分離される。続いて、暗号化コンテンツ記憶手段３５に、受信分離手段３３で分離された暗号化コンテンツ（付加メタデータおよびメタデータテンプレートを含む）が記憶され、暗号鍵関連情報復号手段３７によって、受信分離手段３３で分離された暗号鍵関連情報が、予め保持されている保持鍵（ワーク鍵、マスター鍵等）で復号され、コンテンツ鍵Ｋｃが出力され、この出力されたコンテンツ鍵Ｋｃが暗号鍵記憶手段４１によって記憶される。そして、デスクランブル手段４３によって、暗号鍵記憶手段４１に記憶されているコンテンツ鍵Ｋｃが使用されて、暗号化コンテンツが復号され、付加メタデータ、メタデータテンプレートおよび符号化コンテンツとされ、復号化手段４７によって、デスクランブル手段４３で復号された符号化コンテンツが復号化されたコンテンツとして出力される。また、オリジナルメタデータ制作手段４５によって、コンテンツを視聴した視聴者に対して、デスクランブル手段４３で復号された付加メタデータおよびメタデータテンプレートとを利用して、オリジナルメタデータの制作が促される。このため、メタデータテンプレートおよび付加メタデータとを使用して、コンテンツを視聴する視聴者は、オリジナルメタデータを制作することができる。
【０１０７】
また、このオリジナルメタデータ制作装置３１によれば、コンテンツを視聴した視聴者により、メタデータテンプレートが利用されて制作されたオリジナルメタデータを、オリジナルメタデータ返信手段４９によって、ネットワークを介して返信することで、コンテンツ（多重暗号化コンテンツ）を提供した側（放送事業者、コンテンツ提供者）では、オリジナルメタデータを回収することができ、当該オリジナルメタデータを活用することが可能になる。
【０１０８】
〈視聴者参加型のメタデータフローの例〉
次に、図８を参照して、メタデータ生成送信装置１とオリジナルメタデータ制作装置３１とを使用して、視聴者が参加してメタデータを制作する視聴者参加型のメタデータフロー（メタデータの流れ）の例について説明する。
図８は、放送事業者と、視聴者と、メタデータ制作者（プロの制作者）との３者間におけるメタデータの流れを説明した図である。なお、放送事業者にはメタデータテンプレート生成送信装置１が備えられており、視聴者およびメタデータ制作者にはオリジナルメタデータ制作装置３１が備えられている。
【０１０９】
放送事業者では、メタデータテンプレート生成送信装置１の図示を省略した記憶手段にメタデータ制作者ＩＤ（ユーザＩＤ［視聴者識別子］）とメタデータ評価点とを対応付けたテーブルを記憶している。
【０１１０】
そして、放送事業者は、メタデータテンプレート生成送信装置１によって、メタデータＡ（付加メタデータ）とテンプレートＤ（メタデータテンプレート）とを放送波によって視聴者側に送出すると、視聴者は、オリジナルメタデータ制作装置３１によって、メタデータＡおよびテンプレートＤを使用して、メタデータＤ″を制作する。そうして、視聴者は、制作したメタデータＤ″をコンテスト等に送ったり、放送事業者に買い取ってもらったりすることができる。
【０１１１】
また、放送事業者は、メタデータ制作者に対して、メタデータテンプレート生成送信装置１によって、メタデータＡ（付加メタデータ）やテンプレートＤを、ネットワーク等を介して配布したり、視聴者の要望に基づいて、メタデータの新規作成を依頼したり、メタデータＣを放送波により送出したりすることができる。
【０１１２】
そうすると、メタデータ制作者は、オリジナルメタデータ制作装置３１によって、メタデータＡをメタデータＡ′に、メタデータＣをメタデータＣ′に変更作成したり、メタデータＥを新規作成したり、テンプレートＤからメタデータＤ′を作成（制作）したりすることができる。
【０１１３】
以上、本発明の実施形態について説明したが、本発明は前記実施形態には限定されない。例えば、本実施形態では、メタデータテンプレート生成送信装置１およびオリジナルメタデータ制作装置３１として説明したが、これらの装置の各構成の処理をプログラムとして記述したメタデータテンプレート生成送信プログラムおよびオリジナルメタデータ制作プログラムとしてもよい。これらの場合、メタデータテンプレート生成送信装置１、オリジナルメタデータ制作装置３１それぞれと同様の効果を得ることができる。
【図面の簡単な説明】
【０１１４】
【図１】本発明の実施形態に係るメタデータテンプレート生成送信装置のブロック図である。
【図２】本発明の実施形態に係るオリジナルメタデータ制作装置のブロック図である。
【図３】図１に示したメタデータテンプレート生成送信装置の動作を説明したフローチャートである。
【図４】図１に示したメタデータテンプレート生成送信装置のオリジナルメタデータ送信元判定手段、メタデータ評価点加算手段およびメタデータ評価点比較手段の動作を説明したフローチャートである。
【図５】図２に示したオリジナルメタデータ制作装置の動作を説明したフローチャートである。
【図６】オリジナルメタデータ制作手段によって表示装置に表示されるメタデータテンプレートの例を説明した図である。
【図７】オリジナルメタデータ制作手段によって制作されたオリジナルメタデータの例を説明した図である。
【図８】本発明による、放送事業者、視聴者およびメタデータ制作者の３者間でメタデータの流れの例を説明した図である。
【図９】従来の放送事業者、視聴者およびメタデータ制作者の３者間でメタデータの流れの例を説明した図である。
【符号の説明】
【０１１５】
１      メタデータテンプレート生成送信装置
２      操作手段
３      コンテンツ記憶手段
４      表示装置
５      コンテンツ符号化手段
７      付加メタデータ・メタデータテンプレート生成手段
９      暗号鍵生成手段
１１    スクランブル手段
１３    暗号鍵関連情報生成手段
１５    保持鍵記憶手段
１７    多重化送出手段
１９    オリジナルメタデータ送信元判定手段
２１    メタデータ評価点加算手段
２３    メタデータ評価点比較手段
３１    オリジナルメタデータ制作装置
３３    受信分離手段
３５    暗号化コンテンツ記憶手段
３７    暗号鍵関情報復号手段
３９    保持鍵記憶手段
４１    暗号鍵記憶手段
４３    デスクランブル手段
４５    オリジナルメタデータ制作手段（提示手段を含む）
４７    復号化手段
４９    オリジナルメタデータ返信手段
５１    付加メタデータ・メタデータテンプレート受信手段
【図１】
2006033182.tif 000003
【図２】
2006033182.tif 000004
【図３】
2006033182.tif 000005
【図４】
2006033182.tif 000006
【図５】
2006033182.tif 000007
【図６】
2006033182.tif 000008
【図７】
2006033182.tif 000009
【図８】
2006033182.tif 000010
【図９】
2006033182.tif 000011